(57)【要約】【課題】  実際の甲虫や蝶と異なる想像上の昆虫となり、興味深く楽しむことができ、また室内における置物とすることができる昆虫玩具を提供する。【解決手段】  甲虫の１つの種類に属する昆虫の頭部１２、胸部２０、腹部３０及び脚部４０を模した形状に形成し、それぞれを組付けて甲虫の模型を形成し、この甲虫の模型に蝶の一対の翅６０，６０を模した模型を取付ける。甲虫の模型は、兜虫を模した兜虫部とし、一対の翅は、アゲハ蝶の翅を模したものとし、兜虫部の表面は、金色に塗装したり、一対の翅の表面には所定の文字が記載されている。【選択図】      図１
0003119367.tif 000002
【実用新案登録請求の範囲】
【請求項１】
甲虫の１つの種類に属する昆虫の頭部、胸部、腹部及び脚部を模した形状に形成し、それぞれを組付けて甲虫の模型を形成し、この甲虫の模型に蝶の一対の翅を模した模型を取付けたことを特徴とする昆虫模型。
【請求項２】
前記甲虫の模型は、兜虫を模した兜虫部であり、前記一対の翅は、アゲハ蝶の翅を模したものであることを特徴とする請求項１記載の昆虫模型。
【請求項３】
前記兜虫部の表面は、金色に塗装され、前記一対の翅の表面には所定の文字が記載されている請求項２記載の昆虫模型。
【考案の詳細な説明】
【技術分野】
【０００１】
本考案は、昆虫模型に関し、特に、種類の異なる昆虫の部分を合体させて想像上の１つの昆虫とした昆虫模型に関するものである。
【背景技術】
【０００２】
従来、各種の昆虫の外観に似せて形成された昆虫模型が知られている。このような昆虫模型として、例えば、兜やカマキリ等の昆虫では、その昆虫の頭部、胸部、腹部等の各部の形状を金属あるいはプラスチック等の材料で成形し、それぞれを組み付けることにより形成されていた。この種の昆虫模型として、着物の布の色彩及び模様で昆虫の外観に似せて制作された昆虫模型に関する技術が開示されている（例えば、特許文献１参照。）。
【特許文献１】特開２００３−３３５７９号公報（第３〜６ページ、図１〜図１５）。
【考案の開示】
【考案が解決しようとする課題】
【０００３】
従来の昆虫模型は、色彩豊かな柄や模様を採用していても、１つの種類の昆虫の頭部、胸部、腹部等の各部の外観を似せて、その昆虫自体の形状にしたものである。
【０００４】
本考案は、種類の異なる昆虫の部分を合体させ、想像上の１つの昆虫とした興味深い昆虫模型を提供することを目的とする。
【課題を解決するための手段】
【０００５】
上記目的を達成するために請求項１に記載の考案にあっては、甲虫の１つの種類に属する昆虫の頭部、胸部、腹部及び脚部を模した形状に形成し、それぞれを組付けて甲虫の模型を形成し、この甲虫の模型に蝶の一対の翅を模した模型を取付けたことを特徴とするものである。実際の甲虫や蝶と異なる想像上の昆虫となり、興味深く楽しむことができ、また室内における置物とすることができる。
【０００６】
請求項２に記載の考案にあっては、前記甲虫の模型は、兜虫を模した兜虫部であり、前記一対の翅は、アゲハ蝶の翅を模したものであることを特徴とするものである。昆虫にアゲハ蝶の一対の翅を取付けることで想像上の昆虫として楽しむことができる。
【０００７】
請求項３に記載の考案にあっては、前記兜虫部の表面は、金色に塗装され、前記一対の翅の表面には所定の文字が記載されているものである。兜虫部の表面を金色に塗装し文字を記載した蝶の翅を取付けることで想像上の昆虫を興味深く楽しむことができる。
【考案の効果】
【０００８】
本考案では、甲虫の１つの種類に属する昆虫の頭部、胸部、腹部及び脚部を模した形状に形成し、それぞれを組付けて甲虫の模型を形成し、この甲虫の模型に蝶の一対の翅を模した模型を取付けたことで、実際の甲虫や蝶と異なる想像上の昆虫となり、興味深く楽しむことができ、また室内における置物とすることができる。
【考案を実施するための最良の形態】
【０００９】
以下、本考案を図示の一実施形態により具体的に説明する。図１〜図９は本考案実施形態の昆虫模型を説明する図であり、図１は昆虫模型の側面図、図２は昆虫模型の平面図、図３は昆虫模型の兜部の分解図、図４は昆虫模型の兜部の組付け前の状態を説明する図、図５は昆虫模型の兜部の組付け状態を説明する図、図６は昆虫模型の兜部の底面図、図７は昆虫模型の兜部の平面図、図８は昆虫模型の兜部の側面図、図９は昆虫模型の蝶の羽部の平面図である。
【００１０】
これらの図において、本実施形態の昆虫模型１は、甲虫の種類に属する兜虫部１０に、蝶の一対の翅６０，６０を取付けた想像上の１つの昆虫に形成したものである。兜虫部１０は、先端に角部１１を有する頭部１２と、胸部２０と、腹部３０と、脚部４０等とを有するものである。
【００１１】
兜虫部１０の頭部１２は、例えば、硬質の発砲スチロール等の材料からなり、先端部が細く尖った円錐形状に形成されたものである。角部１１は、例えば、アルミニューム針金等の材料からなり、角先となる先端部分を金槌で叩いて薄くし、その薄くした部分をはさみで切り出し角の形に成型したものが使用される。頭部１２には、図４に示すように、細く尖った円錐形状の先端側から、角部１１が貫通するように差し込まれる。また、頭部１２の角部１１が貫通された基底部側の左右には、一対の触角部１３，１３と、複眼部１４，１４が取付けられる。触角部１３は、例えば、固体粉末を乾性油等でこねたパテで小さい球状に形成したものに、細く短いアルミニューム針金の先端を刺したものが使用される。複眼部１４は、同様にパテで小さい球状に形成したものが使用される。
【００１２】
兜虫部１０の胸部２０は、頭部１２と同様の硬質の発砲スチロール等の材料からなり、兜の胸を模したほぼ筒状に形成され、先端側に頭部１２の角部１１が貫通された基底部側を差し込んで取付けられるようになっている。この胸部２０の上部側には、角部１５が取付けられる。この角部１５は、例えば、アルミニューム針金等の材料からなり、角先となる先端部分を金槌で叩いて薄くし、その薄くした部分をはさみで切り出し角の形に成型したものが使用される。角部１５が取付けられる胸部２０の接続部分の周囲は、成形用パテを塗って円滑になるよう整形される。また、胸部２０には、後に詳細に説明するように、前脚部４１を構成するコ字形に形成された針金４４が、後部側から斜め下方の前側へ向けて貫通して突出させて取付けるための孔１６，１６が形成されている。
【００１３】
兜虫部１０の腹部３０は、頭部１２と同様の硬質の発砲スチロール等の材料からなり、兜の腹を模したほぼ楕円形の板状に形成され、先端側に胸部２０の取付け部３３が形成された腹部本体３１と、この腹部本体３１の上部に取付けられる同様の発砲スチロール等の材料からなる兜の翅を模した翅部３２とから構成されている。この翅部３２には、左右にスリット状に形成された一対の取付け孔３５，３５が形成され、これら取付け孔３５，３５に翅６０，６０が取付けられるようになっている。また、腹部本体３１には、その取付け部３３から端部側が水平に突出されるようにやや太目の棒状の針金５３が水平に差し込まれている。胸部２０は、この針金５３の突出された端部側が差し込まれて、取付け部３３に取り付けられるようになっている。さらに、腹部本体３１には、後に詳細に説明するように、中脚部４２及び後脚部４３を構成するコ字形に形成された針金４７，５０が胸部２０に近い背中側から腹側にかけて斜め下方の後側へ貫通して突出させて取付けるための孔３４，３４，３４，３４が形成されている。
【００１４】
兜虫部１０の脚部４０は、胸部２０の下部側に取付けられる前脚部４１と、腹部３０の下部側に取付けられる中脚部４２及び後足部４３とを有する。前脚部４１は、コ字形に形成された針金４４と、この針金４４にそれぞれ差込んで取付けられる関節部４５，４６とを有する。中脚部４２は、コ字形に形成された針金４７と、この針金４７にそれぞれ差込んで取付けられる関節部４８，４９とを有する。後脚部４３は、コ字形に形成された針金５０と、この針金５０にそれぞれ差込んで取付けられる関節部５１，５２とを有する。それぞれ関節部４５，４６，４８，４９，５１，５２は、発砲スチロール等の材料からなり、兜のそれぞれ関節を模した形状に形成されている。関節部４５，４６，４８，４９，５１，５２が取付けられた針金４４，４７，５０は、端部側がやや長く露出され、それぞれ兜の脚部を模した形状に曲げられている。
【００１５】
上記の通り各部が取付けられた兜虫部１０は、その表面の全てに下地として水生ペンキが２〜３回塗布され、乾燥した後に透明油性ニスと不透明水性顔料のインクを繰り返し塗布する。また、一対の触角部１３，１３の先端部及び複眼部１４，１４は、他の部分とは異なる色彩なるよう顔料を塗布する。
【００１６】
翅６０は、例えば、０．５ｍｍ程度の厚さの塩化ビニール板から形成され、アゲハ蝶の翅の形状にさみ等で切り抜かれ、その表面に模様や色彩等が不透明性顔料等のインクで塗られ、乾燥させた後に油性ニスが２〜３回塗布される。この翅６０の根元部分は、兜虫部１０の翅部３２の取付け孔３５に挿入される差込部６１が形成されている。
【００１７】
上記構成の昆虫模型１は、実際の昆虫である兜の形状を模した頭部１２、腹部３０、脚部４０及び脚部４０を組み付けた兜虫部１０に、アゲハ蝶の翅の形状に形成された一対の翅６０，６０が取付けられているため、実際の兜や蝶と異なる想像上の昆虫となり、興味深く楽しむことができ、また室内における置物とすることができる。
【００１８】
なお、上記実施形態において、昆虫の兜を模した兜虫部１０に、アゲハ蝶の翅を模した一対の翅６０，６０を取付けた例を説明したが、少なくとも甲虫の種類に属する昆虫を模した模型に、蝶の一対の翅を模した模型を取付けたものであればよい。また、昆虫模型１は、兜虫部１０を実際の兜の色彩でなく、例えば、全体を金色に塗布し、表面に所定の文字を記載した蝶の一対の翅６０，６０を取付けることもできる。このような兜に蝶の翅を取付けた昆虫模型１を、想像上の昆虫の名称として「兜ちょう」と名付けて楽しむことができる。さらに、本実施形態では、各部を硬質の発砲スチロール等の材料や針金を使用して成形した例を説明したが、例えば、昆虫の頭部、腹部、脚部、脚部及び翅の形状にプラスチック材、木材あるいは金属材で成形したものを組み付けるようにしてもよい。
【産業上の利用可能性】
【００１９】
種類の異なる昆虫の部分を合体させて想像上の１つの昆虫とした昆虫模型に利用することができる。
【図面の簡単な説明】
【００２０】
【図１】本考案実施形態の昆虫模型の側面図である。
【図２】本考案実施形態の昆虫模型の平面図である。
【図３】本考案実施形態の昆虫模型の兜部の分解図である。
【図４】本考案実施形態の昆虫模型の兜部の組付け状態を説明する図である。
【図５】本考案実施形態の昆虫模型の兜部の組付け状態を説明する図である。
【図６】本考案実施形態の昆虫模型の兜部の底面図である。
【図７】本考案実施形態の昆虫模型の兜部の平面図である。
【図８】本考案実施形態の昆虫模型の兜部の側面図である。
【図９】本考案実施形態の昆虫模型の蝶の羽部の平面図である。
【符号の説明】
【００２１】
１０  兜虫部
１１  角部
１２  頭部
１３  触角部
１４  複眼部
１５  角部
１６  孔
２０  胸部
３０  腹部
３１  腹部本体
３２  翅部
３３  取付け部
３４  孔
３５  取付け孔
４０  脚部
４１  前脚部
４２  中脚部
４３  後脚部
４４  針金
４５  関節部
４６  関節部
４７  針金
４８  関節部
４９  関節部
５０  針金
５１  関節部
５２  関節部
５３  針金
６０  翅
６１  差込部
【図１】
0003119367.tif 000003
【図２】
0003119367.tif 000004
【図３】
0003119367.tif 000005
【図４】
0003119367.tif 000006
【図５】
0003119367.tif 000007
【図６】
0003119367.tif 000008
【図７】
0003119367.tif 000009
【図８】
0003119367.tif 000010
【図９】
0003119367.tif 000011